(57)【要約】【課題】方立の左右に配置される枠体の取付けを容易かつ正確に行うことができる防火建具を提供する。【解決手段】中空状の連結材本体と、連結材本体の両側に固定される二つの枠取付材と、枠取付材に固定される竪枠を有し、連結材本体は、鋼材からなる二つの本体部材が室内側及び室外側で固定されて形成されており、枠取付材は、見込み壁と、見込み壁の室内側及び室外側に左右方向の一方に延設してなる室内側取付部及び室外側取付部を備え、両取付部が連結材本体の反対側に位置しており、竪枠は、室内側及び室外側に室内側取付片及び室外側取付片を有し、竪枠の室内側取付片及び室外側取付片は、枠取付材の室内側取付部及び室外側取付部にそれぞれ固定されている。【選択図】  図４
2019214927.tif 000002
【特許請求の範囲】
【請求項１】
中空状の連結材本体と、連結材本体の両側に固定される二つの枠取付材と、枠取付材に固定される竪枠を有し、
連結材本体は、鋼材からなる二つの本体部材が室内側及び室外側で固定されて形成されており、
枠取付材は、見込み壁と、見込み壁の室内側及び室外側に左右方向の一方に延設してなる室内側取付部及び室外側取付部を備え、両取付部が連結材本体の反対側に位置しており、
竪枠は、室内側及び室外側に室内側取付片及び室外側取付片を有し、竪枠の室内側取付片及び室外側取付片は、枠取付材の室内側取付部及び室外側取付部にそれぞれ固定されている防火建具。
【発明の詳細な説明】
【技術分野】
【０００１】
本発明は、建物開口部に配置される防火建具に関する。
【背景技術】
【０００２】
建物開口部に配置される防火建具として、左右に窓部を配置するための方立を備えた防火建具が公知となっている。
【先行技術文献】
【特許文献】
【０００３】
【特許文献１】特許第５７５７０１１号公報
【発明の概要】
【発明が解決しようとする課題】
【０００４】
上記特許文献１に記載された防火建具は、方立の室内側方立部材がスチールパイプで構成されており、室内側方立部材と枠体との間にはアンカーが設けられているが、該アンカーは、方立に対してアングル材等を介するなどして溶接により固定されている。
しかし、上記のようにアンカーを溶接によって正確に室内側方立部材に固定することには技術が必要であり、特に、方立の見付け寸法によっては、室内側方立部材とアンカーとの間隔が大きくなり、アンカーのずれ等が発生しやすかった。
【０００５】
本発明は、上記の事情を鑑み、方立の一部がスチールで形成された防火建具において、方立の左右に配置される枠体の取付けを容易かつ正確に行うことができる防火建具を提供することを目的とする。
【課題を解決するための手段】
【０００６】
本発明の一実施形態は、中空状の連結材本体と、連結材本体の両側に固定される二つの枠取付材と、枠取付材に固定される竪枠を有し、連結材本体は、鋼材からなる二つの本体部材が室内側及び室外側で固定されて形成されており、枠取付材は、見込み壁と、見込み壁の室内側及び室外側に左右方向の一方に延設してなる室内側取付部及び室外側取付部を備え、両取付部が連結材本体の反対側に位置しており、竪枠は、室内側及び室外側に室内側取付片及び室外側取付片を有し、竪枠の室内側取付片及び室外側取付片は、枠取付材の室内側取付部及び室外側取付部にそれぞれ固定されている防火建具である。
【発明の効果】
【０００７】
本実施形態の防火建具の構成により、方立に対する枠体の取付けを容易かつ正確に行うことができる。
【図面の簡単な説明】
【０００８】
【図１】本発明の第１の実施形態に係る防火建具の外観図である。
【図２】本発明の第１の実施形態に係る防火建具の横断面図である。
【図３】本発明の第１の実施形態に係る防火建具の竪断面図である。
【図４】本発明の第１の実施形態に係る防火建具に連結材部分の拡大横断面図である。
【図５】本発明の第１の実施形態に係る防火建具の連結材部分の竪断面図である。
【図６】本発明の第２の実施形態に係る防火建具の連結材部分の拡大横断面図である。
【図７】本発明の第３の実施形態に係る防火建具の連結材部分の横断面図である。
【図８】本発明の他の実施形態に係る防火建具の連結材部分の拡大横断面図である。
【発明を実施するための形態】
【０００９】
−第１の実施形態−
本発明の一実施形態（第１の実施形態）について、図１ないし５を参考にして説明する。
（全体の構成）
図１ないし３に示すように、本実施形態の防火建具は、建物の躯体開口Ａの左右方向ほぼ中央位置に配置される連結材１と、建物の躯体開口部Ａ内であって連結材１の左右の空間に配置される左右の窓部２，２を備えている。
左右の窓部２は、それぞれ竪枠２３，２４の内周面に上、下枠２１，２２の端部を突き合わせて結合されてなる枠体の内周に、内、外障子３、４を配置してなる引き違い窓として形成されている。
【００１０】
（連結材）
本実施形態の防火建具の連結材１は、図２に示すように、中空状の連結材本体１１と、連結材本体１１の左右両側に固定されて左右の窓部２，２の連結材本体側の竪枠２３が取り付けられる断面略Ｕ字状の枠取付材１２，１２と、連結材本体１１の室外側に配置されて左右の竪枠２３，２３の室外側の間をカバーする室外側部材１３と、連結材本体１１の室内側に配置されて左右の窓部２，２の室内側の竪枠２３，２３間をカバーする室内側部材１４と、を有している。
【００１１】
連結材本体１１は、スチール等の鋼材からなり、図４（ａ）に示すように、見込み壁１１１ａと、見込み壁１１１ａの室内側端に連続する室内側見付け壁１１１ｂと、見込み壁１１１ａの室外側端に連続する室外側見付け壁１１１ｃとを有する断面略Ｕ字状の二つの本体部材１１１，１１１により形成されている。
【００１２】
具体的には、連結材本体１１は、断面略Ｕ字状の二つの本体部材１１１，１１１の室内側見付け壁１１１ｂ，１１１ｂ同士及び室外側見付け壁１１１ｃ，１１１ｃ同士を見込み方向に重合させた状態で、溶接、リベット、ビス止め等の連結手段により連結することで形成されている。
【００１３】
そして、連結材本体１１は、図５に示すように、見込み壁１１１ａの上下部分が、躯体開口部Ａに固定された上、下アンカー部材５，５に固定されることで、躯体開口部Ａに対して支持されている。
具体的には、上、下アンカー部材５，５の固定板５２，５２に形成された上下方向に沿って延びる長孔５２ａに対してビス等の固定手段ｂ１によって固定されており、熱等によって連結材本体１１が伸びた場合などに、長孔５２ａ，５２ａと固定手段ｂ１との固定部のずれが許容されるように支持されている。
【００１４】
さらに、上アンカー部材５によって固定された連結材本体１１の上端と、躯体開口部Ａとの間には、不燃性のクッション材６が配置されており、連結材本体１１が熱等によって延びた際に、連結材本体１１の伸びを吸収して、躯体等の破損を防止している。
なお、不燃性のクッション材６は、連結材本体１１の上側だけでなく、連結材本体１１の下側に配置することもできる。
【００１５】
枠取付材１２は、スチール等の鋼材よりなり、図４（ａ）に示すように、見込み壁１２ａと、見込み壁１２ａの室内側に連続する室内側取付部１２ｂと、見込み壁１２ａの室外側に連続する室外側取付部１２ｃとを有する断面略Ｕ字状の曲げ部材として形成されている。
そして、枠取付材１２は、室内側取付部１２ｂ及び室外側取付部１２ｃが反連結材本体側に延びるように配置された状態で見込み壁１２ａを連結材本体１１の見込み壁１１１ａに当接させ、連結材本体１１にネジ等の連結手段ｂ２により固定されている。
【００１６】
なお、本実施形態の防火建具の枠取付材１２の見込み壁１２ａは、図５に示すように、室内側部分の上下方向寸法が長く、室外側部分の上下方向寸法が室内側に比べて短い寸法となるように段を有しており、アンカー部材５の固定板５２を避ける形状をしているので、連結材本体１１と上、下アンカー部材５，５の固定板５２，５２との固定を妨げることがない。
ただし、枠取付材１２の形状は、図５に示す本実施形態の形状に限定されるものではなく、また、連結材本体１１に対して上下方向に複数個配置されるものでもよい。（なお、図５においては、連結材本体１１と枠取付材１２とを区別するために、枠取付材１２を点線で示している。）
【００１７】
室外側部材１３は、図４（ｂ）に示すように、連結材本体１１の室外側壁にビス等の固定手段ｂ３により固定される取付補助部材１３１と、取付補助部材１３１に係止される室外側壁部材１３２と、室外側壁部材１３２が取付補助部材１３１に係止された状態で固定するくさび部材１３３を有している。
取付補助部材１３１は、連結材本体１１の室外側壁に当接する固定壁部１３１ａと、固定壁部１３１ａの室外側面から室外側に形成された二つの係止片部１３１ｂ、１３１ｂを有しており、室外側壁部材１３２は、外壁部１３２ａと、外壁部１３２ａの室内側面に形成された二つの被係止片部１３２ｂ，１３２ｂを有している。
【００１８】
そして、取付補助部材１３１の係止片部１３１ｂ，１３１ｂに対して、室外側壁部材１３２の被係止片部１３２ｂ、１３２ｂを室内側から係止するとともに、室外側壁部材１３２の被係止片部１３２ｂ，１３２ｂと取付補助部材１３１の固定壁部１３１ａとの間にくさび部材１３３を左右方向から挿入することで、連結材本体１１の室外側に室外側部材１３が取り付けられている。
【００１９】
室内側部材１４は、図４（ｂ）に示すように、連結材本体１１の室内側に固定される連結部材１４１と、連結部材１４１の室内側に配置されて連結材本体１１に固定される耐火ボート等の耐火部材１４２と、連結部材１４１に係止されて耐火部材１４２の室内側を覆う室内側カバー部材１４３を有している。
【００２０】
連結部材１４１は、連結材本体１１及び連結材本体１１に固定された左右の枠取付材１２，１２の室内側を覆う左右幅寸法を有する固定部１４１ａと、固定部１４１ａの左右両端部より室内側に延びる係止片１４１ｂ，１４１ｂを有している。そして、固定部１４１ａの左右中央位置において連結材本体１１に固定手段ｂ４により固定されると共に、左右位置において枠取付材１２の室内側取付部１２ｂにビス等の固定手段ｂ５により固定されている。
【００２１】
耐火部材１４２は、図４（ｂ），図５に示すように、連結材本体１１とほぼ同じ高さ寸法を有し、連結材本体１１の室内側において連結材本体１１と左右の枠取付材１２，１２との間を室内側から塞ぐように連結材本体１１に対してネジ等の固定手段ｂ６により固定されている。
室内側カバー部材１４３は、耐火部材１４２を室内側から覆うように断面Ｕ字状をなし、左右両端部が連結部材１４１の係止片１４１ｂ、１４１ｂに係合されて取り付けられている。なお、連結部材１４１の係止片１４１ｂに室内側カバー部材１４３をネジ止めすることにより、固定強度を高めることもできる。
【００２２】
（窓部の構成）
本実施形態の防火建具の窓部２は防火性を備えており、図２に示すように、連結材側の竪枠２３が枠取付材１２に固定されるとともに、反連結材側（躯体開口部Ａ側）の竪枠２４が、躯体開口部Ａに固定されたアンカー部材５に固定されることで躯体開口部Ａに取付けられている。
連結材１（及びアンカー部材５）に固定される窓部２の竪枠２３（２４）は、図４（ａ）に示すように、少なくとも見込み壁２３ａと、見込み壁２３ａの室内側端から外周側に向かって延設され先端が室外方向に屈曲している室内側取付片２３ｂと、見込み壁２３ａの室外側端から外周側に向かって延設され先端が室内方向に屈曲している室外側取付片２３ｃを有している。
【００２３】
そして、竪枠２３は、室内側取付片２３ｂが枠取付材１２の室内側取付部１２ｂに対して室外側から見込み方向に重複するように当接してビス等の固定手段ｂ７により固定されると共に、室外側取付片２３ｃが枠取付材１２の室外側取付部１２ｃに対して室外側から見込み方向に重複するように配置されてビス等の固定手段ｂ８によって固定されている。
【００２４】
−第２の実施形態−
本発明の第２の実施形態について、図６を参考にして説明する。なお、第１の実施形態と同じ構成については、その説明を省略する。
第２の実施形態の防火建具は、第１の実施形態に対して、概ね、連結材１及び窓部２の竪枠２３の取付けに違いがある。
【００２５】
（連結材）
連結材１は、図６に示すように、中空状の連結材本体１１と、連結材本体１１の左右両側に固定されて左右の窓部２，２の竪枠２３が取り付けられる枠取付材１２，１２と、連結材本体１１の室外側に固定されて左右の窓部２，２の竪枠２３，２３の室外側の間をカバーする室外側部材１３と、連結材本体１１の室内側に固定されて左右の窓部２，２の室内側の竪枠２３，２３間をカバーする室内側部材１４と、を有している。
【００２６】
そして、第２の実施形態の防火建具においては、連結材本体１１が窓部２の竪枠２３に比べて短い見込寸法に形成されており、連結材本体１１に固定される枠取付材１２が略Ｕ字状ではない点で、第１の実施形態の防火建具と異なっている。
具体的には、枠取付材１２は、スチール等の鋼材よりなり、図６（ａ）に示すように、断面形状において、室内側見込み壁１２ａと、室内側見込み壁１２ａの室内側端から反連結材本体側に延びる室内側取付部１２ｂと、室内側見込み壁１２ａの室外側端から連結材本体側に延びる室外側見付け壁１２ｄと、室外側見付け壁１２ｄが室外側に屈曲して室外側に延びる室外側見込み壁１２ｅと、室外側見込み壁１２ｅの室外側端が反連結材本体側に屈曲して延びる室外側取付部１２ｃとを有する曲げ部材として形成されている。
【００２７】
枠取付材１２は、室内側見込み壁１２ａが連結材本体１１の見込み壁に当接され、室外側見付け壁１２ｄが連結材本体１１の室外側の見付け壁に当接され、それぞれがネジ等の連結手段ｂ９により固定されることで、連結体本体１１に固定されている。
そして、室外側部材１３は、枠取付材１２の室外側取付部１２ｃにビス等の固定手段ｂ１０により固定されている。
【００２８】
一方、連結材１に固定される窓部２の竪枠２３は、少なくとも見込み壁２３ａと、見込み壁２３ａの室内側端から外周側に向かって延設され先端が室外方向に屈曲している室内側取付片２３ｂと、見込み壁２３ａの室外側端から外周側に向かって延設され先端が室内方向に屈曲し、さらに外周側に向かって屈曲している室外側取付片２３ｃを有している。
【００２９】
そして、竪枠２３は、室内側取付片２３ｂが枠取付材１２の室内側取付部１２ｂに対して室外側から見込み方向に重複するように当接してビス等の固定手段ｂ１１により固定されると共に、室外側取付片２３ｃが枠取付材１２の室外側取付部１２ｃに対して室内側から見込み方向に重複するように当接してビス等の固定手段ｂ１２により固定されている。
【００３０】
−第３の実施形態−
本発明の第３の実施形態について、図７を参考にして説明する。なお、第１、２の実施形態と同じ構成については、その説明を一部省略する。
第３の実施形態の防火建具は、連結材１の左右の空間に配置される左右の窓部２，２がＦＩＸ窓である点で第１、２の実施形態の防火建具と相違しており、主に、コンビニエンスストアなどの店舗等の表面に用いられるフロントサッシ（店舗用建材）に採用される。
【００３１】
（連結材）
本実施形態の防火建具の連結材１は、図７（ａ）に示すように、中空状の連結材本体１１と、連結材本体１１の左右両側に固定されて左右の窓部２，２の連結材本体側の竪枠２３が取り付けられる断面略Ｕ字状の枠取付材１２，１２と、連結材本体１１の室外側に配置されて左右の竪枠２３，２３の室外側の間をカバーする室外側部材１３と、連結材本体１１の室内側に配置されて左右の窓部２，２の室内側の竪枠２３，２３間をカバーする室内側部材１４と、を有している。
【００３２】
連結材本体１１は、スチール等の鋼材からなり、図７（ｂ）に示すように、見込み壁１１１ａと、見込み壁１１１ａの室内側端に連続する室内側見付け壁１１１ｂと、見込み壁１１１ａの室外側端に連続する室外側見付け壁１１１ｃとを有する断面略Ｕ字状の二つの本体部材１１１，１１１により形成されている。
【００３３】
枠取付材１２は、スチール等の鋼材よりなり、図７（ｂ）に示すように、見込み壁１２ａと、見込み壁１２ａの室内側に連続する室内側取付部１２ｂと、見込み壁１２ａの室外側に連続する室外側取付部１２ｃとを有する断面略Ｕ字状の曲げ部材として形成されており、見込寸法が連結材本体１１の見込寸法よりも若干大きく形成されている。
【００３４】
そして、枠取付材１２は、室内側取付部１２ｂ及び室外側取付部１２ｃが反連結材本体側に延びるように配置された状態で見込み壁１２ａを連結材本体１１の見込み壁１１１ａに当接させ、連結材本体１１にネジ等の連結手段ｂ２により固定されている。
【００３５】
室外側部材１３は、図７（ａ）に示すように、連結材本体１１の室外側壁にビス等の固定手段ｂ３により固定される取付補助部材１３１と、取付補助部材１３１に係止される室外側壁部材１３２を有している。
取付補助部材１３１は、連結材本体１１の室外側壁に当接する固定壁部１３１ａと、固定壁部１３１ａの室外側面から室外側に形成された固定片部１３１ｂ及び係止片部１３１ｃを有しており、室外側壁部材１３２は、外壁部１３２ａと、外壁部１３２ａの室内側面に形成された被固定片部１３２ｂ及び被係止片部１３２ｃを有している。
【００３６】
そして、取付補助部材１３１の係止片部１３１ｃに対して、室外側壁部材１３２の被係止片部１３２ｃを係止するとともに、取付補助部材１３１の固定片部１３１ｂに対して、室外側壁部材１３２の被固定片部１３２ｂをビス等によってビス止め固定等することで、連結材本体１１の室外側に室外側部材１３が取り付けられている。
【００３７】
（窓部の構成）
連結材１に固定される窓部２の竪枠２３は、図７（ａ）（ｂ）に示すように、見込み壁２３ａと、見込み壁２３ａの室内側端から外周側に向かって延設され先端が室外方向に屈曲している室内側取付片２３ｂと、見込み壁２３ａの室外側端から外周側に向かって延設され先端が室内方向に屈曲している室外側取付片２３ｃを有しており、見込み壁２３ａの見込み方向略中央位置にガラス等のパネルを挿入するガラス間口２３ｄを有している。
【００３８】
そして、竪枠２３は、室内側取付片２３ｂが連結材本体１１の枠取付材１２の室内側取付部１２ｂに対して室外側から見込み方向に重複するように当接してビス等の固定手段ｂ７により固定されると共に、室外側取付片２３ｃが同枠取付材１２の室外側取付部１２ｃに対して室内側から見込み方向に重複するように配置されて当接してビス等の固定手段ｂ８によって固定されている。
【００３９】
連結材本体１１の枠取付材１２に竪枠２３を固定した後に、室外側部材１３及び室内側部材１４を取り付けることで左右窓部の連結部分が構成されているが、連結材本体１１に取り付けられた室外側部材１３は、室外側壁部材１３２の左右方向の端部の位置が竪枠２３の内周端とほぼ一致しており、竪枠２３の室外側を覆っている。
【００４０】
以上の実施形態の防火建具においては、連結材１を構成する連結材本体１１が、断面略Ｕ字状の二つの本体部材１１１，１１１の室内側見付け壁１１１ｂ，１１１ｂ同士及び室外側見付け壁１１１ｃ，１１１ｃ同士を見込み方向に重ね合わせて連結手段により連結することで形成されているので、室内側見付け壁１１１ｂ，１１１ｂ同士及び室内側見付け壁１１１ｂ，１１１ｂ同士の重合寸法を変更することで、見付け寸法を変更することができる。
【００４１】
また、連結材本体１１に対して窓部２の竪枠２３を取付けるための枠取付材１２を、連結材本体１１とは別体に形成しながら、連結材本体１１に対して枠取付材１２を当接させた状態でビス等の固定手段により固定しているので、枠取付材１２を変更することで種々の竪枠２３を取付けることができ、連結材本体１１に対して左右の枠取付材１２，１２を正確にかつ容易に取り付けることができる。
【００４２】
さらに、左右の枠取付材１２，１２の室内側取付部１２ｂの見付け面に対して、竪枠２３の室内側取付片２３ｂの見付け面を当接させた状態でビス等の固定手段により固定し、左右の枠取付材１２，１２の室外側取付部１２ｃの見付け面に対して、竪枠２３の室外側取付片２３ｃの見付け面を見込み方向に重複させてビス等の固定手段により固定しているので、枠取付材１２に対する竪枠２３の固定を安定させることができる。
また、連結材本体１１に当接させて取り付けられた枠取付材１２に対して竪枠２３を固定しているので、連結材本体１１と竪枠２３の固定部分との間に無駄なスペースが生じることなく、左右の窓部の竪枠間の連結部分の見付け寸法を小さくすることができる。
【００４３】
また、第３の実施形態の防火建具においては、竪枠２３の内周端と連結体１の室外側部材１３の左右方向の端部の位置がほぼ一致しているので、竪枠２３が室外側部材１３に覆われて室外側に露出しないので、意匠性に優れている。
【００４４】
なお、連結材本体１１を構成する本体部材は、連結材本体１１の見付け寸法を細かく調節する必要が無い場合には、断面略Ｕ字状の二つの本体部材１１１，１１１によって形成されるものでなくてもよい。
【００４５】
例えば、図８（ａ）に示すように、連結材本体１１は、略Ｃ型形状を有する一方の本体部材１１１と略Ｉ型形状を有する他方の本体部材１１２によって形成されるものであってもよい。
具体的には、スチール等の鋼材からなり、見込み壁１１１ａと、見込み壁１１１ａの室内側端に連続する室内側見付け壁１１１ｂと、室内側見付け壁１１１ｂに連続する室内側見込み壁１１１ｄと、見込み壁１１１ａの室外側端に連続する室外側見付け壁１１１ｃと、室外側見付け壁１１１ｃに連続する室外側見込み壁１１１ｅを有する断面略Ｃ字状の本体部材１１１と、断面略Ｉ字状の本体部材１１２により形成されている。
【００４６】
この場合、連結材本体１１の室内側見付け壁１１１ｂ及び室外側見付け壁１１１ｃ部分で鋼材が重複しないので、室外側部材１３もしくは室内側部材１４を固定するためのビス等が固定しやすく、固定を安定させることができる。
【００４７】
また、連結材本体１１には、図８（ｂ）に示すように、必要に応じて補強部材１１３等を配置することもできる。なお、補強部材１１３は、本体部材１１１同士の固定に先立って、ネジ止めや溶接等によって取り付けておけばよい。
補強部材１１３を配置して連結体本体１１の強度を向上させることで、連結体本体１１の断面積を小さくすることができ、見付寸法をさらに小さくすることが可能となる。
【００４８】
なお、以上の実施形態は，請求項に記載された発明を限定するものではなく，例示として取り扱われることは言うまでもない。
【符号の説明】
【００４９】
１        ：連結材
１１      ：連結材本体
１１１    ：本体部材
１１１ａ  ：見込み壁
１１１ｂ  ：室内側見付け壁
１１１ｃ  ：室外側見付け壁
１２      ：枠取付材
１２ａ    ：室内側見込み壁
１２ｂ    ：室内側取付部
１２ｃ    ：室外側取付部
１２ｄ    ：室外側見付け壁
１２ｅ    ：室外側見込み壁
１３      ：室外側部材
１４      ：室内側部材
２        ：窓部
２３      ：竪枠
２３ａ    ：見込み壁
２３ｂ    ：室内側取付片
２３ｃ    ：室外側取付片
５        ：アンカー部材
【図１】
2019214927.tif 000003
【図２】
2019214927.tif 000004
【図３】
2019214927.tif 000005
【図４】
2019214927.tif 000006
【図５】
2019214927.tif 000007
【図６】
2019214927.tif 000008
【図７】
2019214927.tif 000009
【図８】
2019214927.tif 000010